(57)【要約】      （修正有）【課題】切断した草の絡まりを防止すると共に、異なる条溝の幅に対応できる除草装置を提供する。【解決手段】除草装置１は概ねステンレススチールにより形成されており、回転軸１００と４つの除草部材２を備えている。回転軸１００を挿通させて取り付けられた各除草部材２は、回転軸１００に沿ってスライドして位置調整可能となり、同回転軸を中心として回転するものである。除草部材２は、基体と、３つの刃体と、同基体と同刃体の取着部材を備えている。基体は、平面視略Ｙ字形の板体である基部と、基部中央を貫通している取付穴と、同取付穴と連通する筒状カラー部を備えている。刃体は、略Ｌアングル状であり、屈曲部を挟んで短片側の領域が基体への取付部と、長片側の領域が刃部となる。【選択図】図１
0003212957.tif 000002
【実用新案登録請求の範囲】
【請求項１】
回転軸への取付穴が形成され、該回転軸に沿って位置調整可能に取付けられ、同回転軸を中心として回転する第一の基体と、該第一の基体の外縁から前記回転軸と並行な方向へ片刃の第一の刃体が複数本伸びており、該第一の刃体が前記第一の基体側に位置する基部から先端部に向かって前記第一の刃体の峰の側へ傾斜して配置されると共に、該先端部が自由端となっている第一の刃体ユニットとを有する第一の除草要素と、
前記回転軸への取付穴が形成され、該回転軸に沿って位置調整可能に取付けられ、同回転軸を中心として回転する第二の基体と、該第二の基体の外縁から前記回転軸と並行な方向へ片刃の第二の刃体が複数本伸びており、該第二の刃体が前記第二の基体側に位置する基部から先端部に向かって前記第二の刃体の峰の側へ傾斜して配置されると共に、該先端部が自由端となっている第二の刃体ユニットとを有し、該第二の刃体ユニット先端側正面に、前記第一の除草要素が前記第一の刃体ユニット先端側を向けて正対するように配置される第二の除草要素とを備える
除草装置。
【請求項２】
前記第一の刃体の峰と前記第一の基体との間の傾斜角度が４０°ないし７５°であり、前記第二の刃体の峰と前記第二の基体との間の傾斜角度が４０°ないし７５°である
請求項１記載の除草装置。
【請求項３】
前記第一の刃体および前記第二の刃体は、刃先より峰の方が回転軸側に向かって下るように基部から先端部にかけて捻られている
請求項１または請求項２記載の除草装置。
【請求項４】
前記第一の刃体が前記第一の基体に交換可能に取り付けられており、前記第二の刃体が前記第二の基体に交換可能に取り付けられる
請求項１、請求項２または請求項３記載の除草装置。
【請求項５】
二対以上の前記除草装置を備える
請求項１、請求項２、請求項３または請求項４記載の除草装置。
【請求項６】
前記第一の除草要素の前記第一の刃体ユニット先端側と反対側に配置されるか、または、前記第二の除草要素の前記第二の刃体ユニット先端側と反対側に配置された他の前記除草要素を備える
請求項１、請求項２、請求項３、請求項４または請求項５記載の除草装置。
【請求項７】
前記除草装置を取り付ける回転軸を備える
請求項１、請求項２、請求項３、請求項４、請求項５または請求項６記載の除草装置。
【請求項８】
自走走行機と、
該自走走行機に取り付けられる回転軸と、
該回転軸への取付穴が形成され、同回転軸に沿って位置調整可能に取付けられ、同回転軸を中心として回転する第一の基体と、該第一の基体の外縁から前記回転軸と並行な方向へ片刃の第一の刃体が複数本伸びており、該第一の刃体が前記第一の基体側に位置する基部から先端部に向かって前記第一の刃体の峰の側へ傾斜して配置されると共に、該先端部が自由端となっている第一の刃体ユニットとを有する第一の除草要素と、
前記回転軸への取付穴が形成され、該回転軸に沿って位置調整可能に取付けられ、同回転軸を中心として回転する第二の基体と、該第二の基体の外縁から前記回転軸と並行な方向へ片刃の第二の刃体が複数本伸びており、該第二の刃体が前記第二の基体側に位置する基部から先端部に向かって前記第二の刃体の峰の側へ傾斜して配置されると共に、該先端部が自由端となっている第二の刃体ユニットとを有し、該第二の刃体ユニット先端側正面に、前記第一の除草要素が前記第一の刃体ユニット先端側を向けて正対するように配置される第二の除草要素とを備える除草装置とを備える
除草機。
【請求項９】
六角筒体である回転軸と、
平面形状が略一文字形、略Ｙ字形、略十字形又は略星形のいずれか一つであって、挿通する前記回転軸との間でがたつきを防止可能な程度に同回転軸よりも径大な六角形の同回転軸への取付穴が中央部分に形成され、同回転軸に沿って位置調整可能に取付けられると共に、同回転軸を中心として回転する第一の基体、及び、該第一の基体の周方向に突出した領域の外縁毎に１つずつ取り付けられた片刃の第一の刃体から構成され、該第一の刃体の各々が、前記回転軸に並行して同じ方向へ突出すると共に、前記第一の基体側に位置する基部から自由端である先端部に向かって同第一の刃体の峰の側へ傾斜した第一の刃体ユニットを有する第一の除草要素と、
該第一の除草要素と対で使用可能であり、平面形状が略一文字形、略Ｙ字形、略十字形又は略星形のいずれか一つであって、挿通する前記回転軸との間でがたつきを防止可能な程度に同回転軸よりも径大な六角形の同回転軸への取付穴が中央部分に形成され、同回転軸に沿って位置調整可能に取付けられると共に、同回転軸を中心として回転する第二の基体、及び、該第二の基体の周方向に突出した領域の外縁毎に１つずつ取り付けられた片刃の第二の刃体から構成され、該第二の刃体の各々が、前記回転軸に並行して同じ方向へ突出すると共に、前記第一の基体側に位置する基部から自由端である先端部に向かって同第一の刃体の峰の側へ傾斜した第二の刃体ユニットを有する第二の除草要素とを備え、
前記第一の基体の、前記第一の刃体ユニットが突出する側と、前記第二の基体の、前記第二の刃体ユニットが突出する側とが相対するように配置されている
除草装置。
【考案の詳細な説明】
【技術分野】
【０００１】
本考案は、除草装置及び除草機に関する。更に詳しくは、畑の条溝に植生している雑草等の不要植物を除去する除草装置及び除草機に関する。
【背景技術】
【０００２】
作物の生育中に畑の条溝に植生している雑草の防除を目的として土壌の表層を浅く耕耘する中耕作業があり、この作業は耕耘機を使用して行われる場合がある。しかし、耕耘機は、そもそも土壌をすき起こすのに用いる機械であり、すき起こされた土壌が畝の作物、特に生育初期の作物に被さると、作物の生育に悪影響を与える。このため畝近くを耕耘、つまり除草できず、その分、除草効率が悪い。
【０００３】
そこで、中耕作業を効率的に行う器具として、例えば、特許文献１記載の管理機の耕耘部構造が提案されている。図９に示すように、特許文献１記載の管理機には、除草に係る装置として、いわゆるスパイラルロータ９と称されるものが用いられている。
【０００４】
ここでいうスパイラルロータ９とは、所要間隔を隔てて配置された一対の環状体９１の間に、複数本の刃体９２が等間隔に配置されると共に、回転方向前方から回転方向後方にかけて斜めに架け渡して刃体９２両端部が環状体９１へ固着された略円筒状のものである。そして、このスパイラルロータ９は、管理機に対して水平に配置され、進行方向に直角に設けられた回転軸９３の左右両側に同回転軸を中心として回転するものである。
【０００５】
除草作業に当たっては、条溝の幅に適した、すなわち除草効率を上げるため条溝の幅一杯のスパイラルロータ９を選択して管理機に装着し、スパイラルロータ９を畝の両側の条溝に配置して、刃体９２を土の表面から１〜２ｃｍ下方になるように調整し、スパイラルロータ９を回転させ、土壌を薄切り（スライス）しながら管理機を前進させることで、条溝に生えている雑草を効率的に切断除去することができる。
【先行技術文献】
【特許文献】
【０００６】
【特許文献１】特開平１１−３３２３０４号公報
【考案の概要】
【考案が解決しようとする課題】
【０００７】
前記のように、スパイラルロータ９の刃体９２は環状体９１間に斜めに配置されているために、図９に示すように、環状体９１と刃体９２とがＺ字状となり、刃体９２のうち回転方向後方側に位置する環状体９１との固着部分には、環状体９１と刃体９２の間で鋭角の空間９４が形成される。
この鋭角の空間９４は切断した草の受け部となり、ここに草が絡まったり、引っ掛かったりすると、管理機に対する過負荷の原因となり、ひいては管理機に係る原動機の故障を招来することにもなる。更に、刃体９２に絡まった切断した草、残渣等の異物により、作物を傷めたりすることもある。
【０００８】
また、前記のように畑の条溝の幅は一定ではなく、異なる条溝の幅に対応するには、環状体の間隔を異にする複数種類のスパイラルロータ９を準備する必要があり、スパイラルロータ９の管理や維持に手間がかかる。
【０００９】
本考案は、以上の点を鑑みて創案されたものであり、切断した草の絡まりを防止すると共に、異なる条溝の幅に対応できる除草装置を提供することを目的とするものである。
【課題を解決するための手段】
【００１０】
上記の目的を達成するために本考案の除草装置は、回転軸への取付穴が形成され、該回転軸に沿って位置調整可能に取付けられ、同回転軸を中心として回転する第一の基体と、該第一の基体の外縁から前記回転軸と並行な方向へ片刃の第一の刃体が複数本伸びており、該第一の刃体が前記第一の基体側に位置する基部から先端部に向かって前記第一の刃体の峰の側へ傾斜して配置されると共に、該先端部が自由端となっている第一の刃体ユニットとを有する第一の除草要素と、前記回転軸への取付穴が形成され、該回転軸に沿って位置調整可能に取付けられ、同回転軸を中心として回転する第二の基体と、該第二の基体の外縁から前記回転軸と並行な方向へ片刃の第二の刃体が複数本伸びており、該第二の刃体が前記第二の基体側に位置する基部から先端部に向かって前記第二の刃体の峰の側へ傾斜して配置されると共に、該先端部が自由端となっている第二の刃体ユニットとを有し、該第二の刃体ユニット先端側正面に、前記第一の除草要素が前記第一の刃体ユニット先端側を向けて正対するように配置される第二の除草要素とを備える。
【００１１】
ここで、除草装置の第一の刃体が第二の基体側に位置する基部から先端部に向かって第一の刃体の峰の側へ傾斜して配置され、先端部は自由端となっていることによって、除草した草が引っかかって絡まる部分が形成されず、除草作業を円滑に行うことができる。なお、第二の刃体についても同様である。
【００１２】
また、第一の除草要素と第二の除草要素が、各々回転軸に沿って位置調整可能に取付けられ、位置の調整により第二の刃体ユニットが第一の刃体ユニットと正対するように配置され且つ刃体の先端部は自由端となっていることによって、除草要素同士間の間隔を変えた際に刃体の重なり具合の調整ができ、その結果、一種類の除草装置で異なる条溝の幅に対応できる。
【００１３】
第一の刃体の峰と第一の基体との間の傾斜角度が４０°ないし７５°であり、第二の刃体の峰と第二の基体との間の傾斜角度が４０°ないし７５°である場合には、土壌ごと雑草を薄切りするように刈り取る際に、刃体にかかる抵抗を受けにくくなると共に、刃の引き切り作用を効果的に生ぜしめることができる。
【００１４】
第一の刃体および第二の刃体は、刃先より峰の方が回転軸側に向かって下るように基部から先端部にかけて捻られている場合には、各除草要素が組み合わさる際に、刃体が全体として螺旋状となって土壌ごと雑草を薄切りするように刈り取ることができる。
【００１５】
第一の刃体が第一の基体に交換可能に取り付けられており、第二の刃体が第二の基体に交換可能に取り付けられる場合には、摩滅した刃体を取り替えることによって装置全体を長く使用できる。加えて、刃体を外しての除草要素の清掃、メンテナンスができるので、ユーザの利便性が良い。
【００１６】
二対以上の除草装置を備える場合には、より幅広の条溝の除草を効率的に行うことができる。例えば、一対の除草要素に加えて、更に一対の除草要素を近接して付加配置することによって、約２倍の幅の条溝の雑草の除去が可能となる。また、一対の除草要素と他の一対の除草要素を、畝を挟んで離れた条溝の位置に対応するように離隔して配置することによって、一の行程で各々の条溝の除草作業を一度に行うこともできる。
【００１７】
第一の除草要素の第一の刃体ユニット先端側と反対側に配置されるか、または、第二の除草要素の第二の刃体ユニット先端側と反対側に配置された他の除草要素を備える場合には、より幅広の条溝の除草を効率的に行うことができる。例えば、第一または第二の一対の除草要素に加えて、更に他の一基の除草要素を、第一または第二の除草要素の刃体ユニット先端側と反対側に近接して付加配置することによって、約１．５倍の幅の条溝の雑草の除去が可能となる。
【００１８】
除草装置を取り付ける回転軸を備える場合には、回転軸が一対以上の除草要素を取り付けるための部材となり、また、取り付けられた除草要素相互の間隔を回転軸に沿って動かすことで調整することができる。
【００１９】
上記の目的を達成するために本考案の除草機は、自走走行機と、自走走行機に取り付けられる回転軸と、回転軸への取付穴が形成され、回転軸に沿って位置調整可能に取付けられ、回転軸を中心として回転する第一の基体と、第一の基体の外縁から回転軸と並行な方向へ片刃の第一の刃体が複数本伸びており、第一の刃体が第一の基体側に位置する基部から先端部に向かって第一の刃体の峰の側へ傾斜して配置されると共に、先端部が自由端となっている第一の刃体ユニットとを有する第一の除草要素と、回転軸への取付穴が形成され、回転軸に沿って位置調整可能に取付けられ、回転軸を中心として回転する第二の基体と、第二の基体の外縁から回転軸と並行な方向へ片刃の第二の刃体が複数本伸びており、第二の刃体が第二の基体側に位置する基部から先端部に向かって第二の刃体の峰の側へ傾斜して配置されると共に、先端部が自由端となっている第二の刃体ユニットとを有し、第二の刃体ユニット先端側正面に、第一の除草要素が第一の刃体ユニット先端側を向けて正対するように配置される第二の除草要素とを備える除草装置とを備える。
【００２０】
ここで、除草機は、各除草要素に形成された取付穴を通じて、第一及び第二の各除草要素を回転軸へ間隔を調整可能な状態で取り付けてなる除草装置を備えることにより、切断した草の絡まりが防止されると共に、異なる条溝の幅に対応することができる。
【００２１】
つまり、除草機は、除草装置の第一及び第二の各刃体が第一及び第二の各基体側に位置する各基部から、第一及び第二の各基体の回転方向後方に位置する先端部に向かって斜めに配置され、先端部は自由端となっていることによって、除草した草が引っかかって絡まる部分が形成されず、除草作業を円滑に行うことができる。
【００２２】
また、除草機は、第二の刃体ユニットを前記第一の刃体ユニットへ向けて配置され、かつ、各刃体の先端部が自由端となっていることによって、第一及び第二の各除草要素を回転軸に間隔調整可能な状態で取り付けられ、第一及び第二の除草要素同士間の間隔を変えた際に各刃体の重なり具合の調整ができ、その結果、一種類の除草装置で異なる条溝の幅に対応できる。
【考案の効果】
【００２３】
本考案による除草装置によれば、切断した草の絡まりを防止すると共に、異なる条溝の幅に対応することができる。
【図面の簡単な説明】
【００２４】
【図１】本実施の形態に係る除草装置の斜視図である。
【図２】図１に示す除草装置の除草部材を示す斜視図である。
【図３】図１に示す除草装置の刃体の斜視図である。
【図４】図２に示す除草部材の使用状態を示す側面視説明図である。
【図５】図３に示す刃体の使用状態を示す側面視説明図である。
【図６】除草装置を備えた管理機の使用状態を示す側面視説明図である。
【図７】除草装置を備えた管理機の使用状態を示す背面視説明図である。
【図８】変形例に係る除草装置の使用状態を示す背面視説明図である。
【図９】特許文献１記載の発明を示した全体概略図である。
【考案を実施するための形態】
【００２５】
図１ないし図８を参照して、本考案の実施の形態を更に詳細に説明する。なお、各図における符号は、煩雑さを軽減し理解を容易にする範囲内で付しており、また、同一符号が付される複数の同等物についてはその一部にのみ符号を付す場合がある。なお、以下の説明で述べる「除草部材」は先に述べた「第一の除草要素」及び「第二の除草要素」に相当するものであり、「条」は先に述べた「条溝」に相当するものである。
【００２６】
図１乃至図４を参照して、除草装置１について説明する。
除草装置１は、概ねステンレススチールにより形成されており、回転軸１００と、４つの除草部材２を備えている。回転軸１００を挿通させて取り付けられた各除草部材２は、回転軸１００に沿ってスライドして位置調整可能となり、回転軸１００を中心として回転するものである（図１参照）。
【００２７】
回転軸１００は、ステンレススチール製の六角筒体であって、その周面に長手方向軸線と交差して貫通する係止孔１１１が複数設けられている。各係止孔１１１は、その開口部が同一軸線上に一列となるように配置されている（図１参照）。
【００２８】
除草部材２は、基体２１と、３つの刃体２２と、基体２１と刃体２２の取着部材２３を備えている（図２参照）。なお、本実施の形態においては、取着部材２３はボルト、ワッシャー及びナットであるが、これに限定するものではなく、着脱可能な他の公知部材及び公知手段を採用してもよい。
【００２９】
基体２１は、平面視略Ｙ字形の板体である基部２１１と、基部２１１中央に貫通して形成された取付穴２１２と、取付穴２１２と連通する筒状カラー部２１３を備えている。
【００３０】
基部２１１は、周方向に突出した領域に、複数の刃体取付孔２１４を有している。刃体取付孔２１４は一の突出部につき２つずつ形成されており、この２つの刃体取付孔２１４は、周方向に突出した領域の先端から基部２１１中央へ向かう同一軸線上に所定の間隔で配置されている（図４参照）。
【００３１】
取付穴２１２は、回転軸１００よりもやや径大な正円に形成されている（図４参照）。
【００３２】
筒状カラー部２１３は、基部２１１の一方の面側へ突き出しており、筒状カラー部２１３基部側が取付穴２１２の周縁とほぼ同じくして固着されている。また、筒状カラー部２１３は、筒内の空間が横断面視で六角形となっており、この空間は回転軸１００よりもやや径大に形成されている。
筒状カラー部２１３の側面には、対向する一対の係止ピン孔２１５が形成されている（図２参照）。
【００３３】
刃体２２は、略Ｌアングル状であり、屈曲部を挟んで短片側の領域が基体２１への取付部２２１となり、長片側の領域が刃部２２２となる。取付部２２１には取付孔２２３が２つ形成されており、各取付孔２２３は長手方向の同一軸線上に配置されている（図３参照）。
【００３４】
刃部２２２は、屈曲部及び先端部が短辺であり、長辺が傾斜した略平行四辺形であり、屈曲部との間の角度が鋭角となる長辺に切刃部２２４が形成されており、屈曲部との間の角度が鈍角となる長辺が峰部２２５となる。つまり、刃部２２２は片刃である。また、刃部２２２の先端は自由端である（図３参照）。刃部２２２の傾斜角度は、取付部２２１を基準（０°）として５５°である。
【００３５】
刃体２２は、刃部２２２の刃先より峰部２２５の方が取付部２２１側に向かって下るように屈曲部から先端部にかけて捻られている。
なお、前記表現は、基体２１に刃体２２が取り付けられた状態において、刃部２２２の刃先より峰部２２５の方が回転軸側（基体２１の取付穴２１２）に向かって下るように基部２１１側から先端部にかけて捻られている、とも換言できる。
【００３６】
基体２１への刃体２２の取り付けは、基体２１の筒状カラー部２１３が無い面（図２では底面側）の周方向に突出した領域と、刃体２２の取付部２２１の上面（図２では刃部２２２側）を当接させ、刃体取付孔２１４と取付孔２２３の位置を合わせて連通させ、この連通した孔に取着部材２３を挿通して締着して行われる。なお、刃体２２は、刃部２２２が回転方向に向くように取り付けられる。同様に、他の刃体２２を基体２１へ各々取り付けることで、除草部材２が構成される。
【００３７】
このように、除草部材２は、基体２１の外縁から回転軸１００と並行な方向へ片刃の刃体２２に係る刃部２２２が３本伸びたものである。また、各刃部２２２の方向と筒状カラー部２１３の突出方向も同一である（図２参照）。
【００３８】
また、先に述べた通り刃体２２が捻られた形状であるため、図４で示すように、刃体を取り付けた状態の除草部材２は、各刃体２２の配置が想像上の円形の同一線上に位置することとなる。また、図４下方に位置する横方向の実線は地表線Ｇであり、捻られた刃体２２は、地表線Ｇの１〜２ｃｍ下を通過するように設定されている。なお図５の一点鎖線は、地表線Ｇ下に進入した刃体２２の通過位置を示している。
【００３９】
図１に係る除草装置１の組立方法を説明する。
先に述べた組立てられた４つの除草部材２を、２つ一組として、回転軸１００に取り付ける。具体的には、以下の通りである。
【００４０】
（１）１つ目の除草部材２を、管理機側端部１１２へ背面側が向くように（換言すると、管理機側端部１１２の反対側の端部側へ刃体２２が向くように）し、筒状カラー部２１３の係止ピン孔２１５と回転軸１００の係止孔１１１を位置合わせして、連通する挿通孔（図示及び符号省略）が形成されるように配置すると共に、取付穴２１２へ回転軸１００を挿入する。
【００４１】
１つ目の除草部材２を、回転軸１００に沿ってスライドさせ、適当な位置（本実施の形態では、管理機側端部１１２近傍）で止めて、係止ピン孔２１５及び係止孔１１１の位置合わせにより生じた挿通孔へ係止ピン１２０を挿通させる。なお、係止ピン１２０の両端近傍には細孔（図示及び符号省略）が形成されており、各細孔に抜け止めピン１２１を取り付けることで、係止ピン１２０の脱落が防止される。この挿通した係止ピン１２０により、１つ目の除草部材２は、回転軸１００の回転に追従せずに空転したり、回転軸１００の軸線方向にずれたりすることが防止される。筒状カラー部２１３は、除草部材２が回転する際に、回転軸１００の軸線方向へのがたつきを防止し、或いは、振れ止めとなる。
【００４２】
（２）２つ目の除草部材２を、管理機側端部１１２へ刃体２２側が向くように（換言すると、１つ目の除草部材２の刃体２２の先端側と２つ目の除草部材２の刃体２２の先端側が対向するように）配置すると共に、筒状カラー部２１３の係止ピン孔２１５と回転軸１００の係止孔１１１を位置合わせし、連通する挿通孔が形成されるように配置して、取付穴２１２へ回転軸１００を挿入する。
【００４３】
２つ目の除草部材２を、回転軸１００に沿ってスライドさせて適当な位置で止め、係止ピン孔２１５及び係止孔１１１の位置合わせにより生じた挿通孔へ係止ピン１２０を挿通させる。なお、係止ピン１２０の構成及び作用効果は１つ目の除草部材２と同様であるため、説明を省略する。
【００４４】
本実施の形態における２つ目の除草部材２の適当な取付位置とは、１つ目の除草部材２の各刃体２２の間に生じる空間に２つ目の除草部材２の各刃体２２が配置されるよう位置をずらし（図１の左側に記載されたワンセットの除草部材２を参照）、かつ、１つ目の除草部材２の刃体２２と２つ目の除草部材２の刃体２２が側面視で刃の長さ方向に重なる間隔となるような位置（図８の左右両端に記載された各ワンセットの除草部材２を参照）をいう。つまり、１つ目の除草部材２と２つ目の除草部材２を組み合わせた際には、各刃体２２の位置が互い違いとなる（図６参照）。
【００４５】
なお、適当な取付位置は前述のものに限定するものではなく、後述の３つ目の除草部材と４つ目の除草部材の組み合わせのように、作業対象である条の幅等に応じて、適宜設定することができる。
【００４６】
（３）３つ目の除草部材２を、管理機側端部１１２の反対方向へ刃体２２側が向き、かつ、２つ目の除草部材２と所要の間隔で背中合わせとなるように配置すると共に、先述の他の除草部材２と同様の手順で、適当な取付位置に３つ目の除草部材２を配置し、回転軸１００へ取り付ける。なお、係止ピン１２０の構成及び作用効果は１つ目の除草部材２と同様であるため、説明を省略する。
【００４７】
（４）４つ目の除草部材２を、管理機側端部１１２へ刃体２２側が向くように（換言すると、３つ目の除草部材２の刃体２２の先端側と４つ目の除草部材２の刃体２２の先端側が対向するように）配置すると共に、先述の他の除草部材２と同様の手順で、適当な取付位置（本実施の形態では、回転軸１００に係る管理機側端部１１２と反対側端部）に４つ目の除草部材２を配置し、回転軸１００へ取り付ける。なお、係止ピン１２０の構成及び作用効果は１つ目の除草部材２と同様であるため、説明を省略する。
【００４８】
本実施の形態における３つ目の除草部材２の適当な取付位置とは、３つ目の除草部材２の各刃体２２と後述する４つ目の除草部材２の各刃体２２が各々同一延長線上に重ならないように相互に位置をずらして配置され（図１の右側に記載されたワンセットの除草部材２を参照）、かつ、３つ目の除草部材２の刃体２２と４つ目の除草部材２の刃体２２が側面視で刃の長さ方向に先端がわずかに重なる間隔となるような位置（図８の中央側左右に記載された各ワンセットの除草部材２を参照）をいう。
【００４９】
なお、本実施の形態において、除草装置１は、加工性及び各種耐久性の観点からステンレススチールが好適に使用されているが、これに限定するものではなく、他の金属及び他の公知素材又はこれらの組み合わせ（例えば、刃体をばね鋼で、基体をステンレススチール鋼で形成したもの等）を除外するものではない。
【００５０】
本実施の形態において、基体２１は加工の容易性、異物の引っ掛かりにくさ等の観点から平面視略Ｙ字形の板体を採用しているが、これに限定するものではなく、例えば、略一文字、略十字型、略星形等の他の形状であってもよいし、また、必ずしも板体でなくともよい。なお、ここでいう平面視略Ｙ字形とは、平面視で略三角形であって、角部の間の辺が基部２１１の中央側に向かって徐々に窪んだ形状であり、最も窪んだ部分は辺の中間近傍となる形状とも換言することができる。
【００５１】
本実施の形態においては、各々の刃体２２は同一形状及び同一寸法であるが、形状又は寸法が同一でない態様を除外するものではない。
【００５２】
本実施の形態においては、除草部材２は、刃体の交換又は清掃等のメンテナンス性向上の観点から基体２１と刃体２２が着脱可能に構成されているが、基体２１と刃体２２が固着される態様、基体２１と刃体２２を一体成形した態様等を除外するものではない。
【００５３】
本実施の形態において、刃体２２に加わる抵抗を受けにくくし、刃の引き切り作用を効果的に生ぜしめるべく、刃部２２２の傾斜角度が取付部２２１を基準（０°）として５５°となるように設定しているが、これに限定するものではなく、例えば、傾斜角度は４０°ないし７５°の範囲内であってもよい。なお、傾斜角度が７５°を超えると刃体に加わる抵抗が増すと共に、刃が立ちすぎて引き切り効果が低減し、傾斜角度は４０°を下回ると、刃体が寝過ぎてしまって、刃体の長さをかなり長くしなければ対向する除草部材２の間隔を適切に取ることができなくなる。
【００５４】
本実施の形態において、１つ目の除草部材２と２つ目の除草部材２は、組み合わせた際に各刃体２２の位置が互い違いとなるように配置されているが、これに限定するものではなく、例えば、１つ目の除草部材２と２つ目の除草部材２の組み合わせの際に、各刃体２２の位置が正対ないし略正対となるように配置することを除外するものではない。
【００５５】
本実施の形態において、刃体２２は、短片側の領域が取付部２２１であり、長片側の領域が刃部２２２であるが、これに限定するものではなく、例えば、短片側の領域が刃体で、長片側の領域が取付部であってもよいし、領域に長短が無いものであって、いずれか一方の領域が刃体で、他の領域が取付部となる態様であってもよい。
【００５６】
図６では、除草装置１を備えた管理機３を実線で、作業者及び圃場の一部を想像線により記載して、使用状態を示している。
また、図７では、除草機１を実線で、管理機３、作業者及び圃場の一部を想像線により記載して背面側から見た使用状態を示しており、除草部材２同士の間隔がやや広め（先述した図１の３つ目の除草部材２と４つ目の除草部材２との間隔）に設定されている。
【００５７】
更に、図８には図７で示した除草装置１の変形例が示されている。図８では、除草機１を実線で、管理機３、作業者及び圃場の一部を想像線により記載して背面側から見た使用状態を示しており、中央両側に除草部材２同士の間隔がやや広めのものが２セット、回転軸の両端に除草部材２同士の間隔がやや狭めのものが２セット配置されている。
除草部材２同士の間隔がやや広めのものは、先述した図１の３つ目の除草部材２と４つ目の除草部材２との間隔に設定されており、除草部材２同士の間隔がやや狭めのものは、先述した図１の１つ目の除草部材２と２つ目の除草部材２との間隔に設定されている。
【００５８】
なお、図７では、間隔が広い条（以下「条（広）Ｇ１０」という）における作業を示しており、図８では、条（広）Ｇ１０及び間隔が狭い条（以下「条（狭）Ｇ１１」という）における作業を示している。各条の間は作物Ｐが植えられた畝Ｇ２となる。図７及び図８では、畝と条の高低差が無い平坦な圃場を示しているが、畝と条に高低差がある圃場での使用を除外するものではない。
【００５９】
除草装置１は、管理機３の本体部３１下方かつ駆動輪３２の後方側（換言すると作業者Ｕ側）に配置されている。なお、管理機３は耕耘など多目的に使用されるが、耕耘爪に代えて除草装置１を取り付けることで、除草機として用いることができる。
【００６０】
管理機３は、畝Ｇ２に植えられた一列の作物Ｐを各駆動輪３２が跨ぐようにして進行し、除草装置１は、畝Ｇ２の両側の条Ｇ１０（広）を通過して除草作業を行う（図６、図７参照）。
【００６１】
先に述べた通り、除草装置１の刃体２２は、地表線Ｇの１〜２ｃｍ下を通過するように設定されており、この結果、除草作業に際して土を大きく跳ね上げることが無く、従来の除草機にみられる跳ね上げた土によって作物が土を被る、といった生育への悪影響を回避できる。
【００６２】
更に、刃体２２が傾斜しているので、土壌ごと雑草を薄切りするように刈り取る際に、刃体２２にかかる抵抗を受けにくくなると共に、刃の引き切り作用を効果的に生ぜしめることができる。また、除草部材２の各刃体２２の間が広い空間であり、かつ、各刃体２２先端が自由端であるため、切断した草等が刃体へ絡まらないか又は一時的に絡まったとしても外れやすい。
【００６３】
除草装置１によれば、少なくとも一対の除草部材２を組み合わせ且つ間隔を調整して用いることで、一の装置で幅の異なる条に対応することができる。なお、一対の除草部材２同士の間隔が、対向する刃体２２の先端が離れると、その隙間部分が除草されないこととなるので、各除草部材２はこのような隙間を生じさせない程度に配置することが好ましい。
【００６４】
一対の除草部材２の最大幅を超える条を除草する際には、一対の除草部材２の刃体２２の向きと反対側に、他の除草部材２を配置してもよく、その場合には、より幅広の条の除草を効率的に行うことができる。例えば、一対の除草部材２に加えて、更に他の一基の除草部材２を、一対の除草部材２の基体２１背面側に近接して付加配置することによって、約１．５倍の幅の条の雑草の除去が可能となる。なお幅広の条については、付加配置する除草部材２を増やして対応することができる。
【００６５】
加えて、回転軸１００に取り付ける一対の除草部材の数を増やすことにより、同時に複数の条の除草作業が可能となり、作業効率が向上する。例えば図８に示す除草装置１では、片側二対、左右合計四対の除草部材が適宜間隔を開けて配置されており、４つの条である条Ｇ１０（広）及び条（狭）Ｇ１１の除草作業を１行程で同時に行うことができる。
【００６６】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００６７】
１    除草装置
１００    回転軸
１１１    係止孔
１１２    管理機側端部
１２０    係止ピン
１２１    抜け止めピン
２    除草部材
２１    基体
２１１    基部
２１２    取付穴
２１３    筒状カラー部
２１４    刃体取付孔
２１５    係止ピン孔
２２    刃体
２２１    取付部
２２２    刃部
２２３    取付孔
２２４    切刃部
２２５    峰部
２３    取着部材
３    管理機
３１    本体部
３２    駆動輪
Ｇ    地表線
Ｇ１０    条（広）
Ｇ１１    条（狭）
Ｇ２    畝
Ｕ    作業者
Ｐ    作物
９    スパイラルロータ
９１    環状体
９２    刃体
９３    回転軸
９４    空間
【図１】
0003212957.tif 000003
【図２】
0003212957.tif 000004
【図３】
0003212957.tif 000005
【図４】
0003212957.tif 000006
【図５】
0003212957.tif 000007
【図６】
0003212957.tif 000008
【図７】
0003212957.tif 000009
【図８】
0003212957.tif 000010
【図９】
0003212957.tif 000011